(57)【特許請求の範囲】
【請求項１】
被管理物の保管を行う保管手段を管理種別毎に有し、フロア上に設置される重要物管理装置であって、
入力された識別情報に基づいて使用者を特定する使用者特定手段と、
該使用者特定手段の特定結果に基づいて前記保管手段に対する前記被管理物の取り出しおよび投入の可否を制御する制御手段と、
前記被管理物が貨幣類である場合に前記保管手段に対する貨幣類の取り出しおよび投入の金額データが入力される入力手段と、
該入力手段に入力された貨幣類の金額データに基づいて前記保管手段内に保管される貨幣類の在高データを計算し記憶する計算記憶手段と、
前記計算記憶手段による計算結果を表示する表示手段と、
を備え、
複数の前記保管手段を一体に有してフロア上に設置される重要物管理装置本体が、複数台、別位置に設置されており、
これら複数台の重要物管理装置本体のうちの一台のみに一体に、前記計算記憶手段が設けられており、
該計算記憶手段は、前記複数台の重要物管理装置本体の個別の前記在高データを計算し記憶することを特徴とする重要物管理装置。
【請求項２】
被管理物の保管を行う保管手段を管理種別毎に有し、フロア上に設置される重要物管理装置であって、
入力された識別情報に基づいて使用者を特定する使用者特定手段と、
該使用者特定手段の特定結果に基づいて前記保管手段に対する前記被管理物の取り出しおよび投入の可否を制御する制御手段と、
前記被管理物が貨幣類である場合に前記保管手段に対する貨幣類の取り出しおよび投入の金額データが入力される入力手段と、
該入力手段に入力された貨幣類の金額データに基づいて前記保管手段内に保管される貨幣類の在高データを計算し記憶する計算記憶手段と、
前記計算記憶手段による計算結果を表示する表示手段と、
を備え、
複数の前記保管手段を一体に有してフロア上に設置される重要物管理装置本体が、複数台、別位置に設置されており、
これら複数台の重要物管理装置本体とは別体のパーソナルコンピュータが前記計算記憶手段および前記表示手段を有しており、
前記計算記憶手段は、前記複数台の重要物管理装置本体の個別の前記在高データを計算し記憶することを特徴とする重要物管理装置。
【請求項３】
管理種別毎の前記保管手段は、それぞれコンポーネント化されており、複数個の前記保管手段が選択的に組み合わせられて構成されることを特徴とする請求項１または２記載の重要物管理装置。
【発明の詳細な説明】
【技術分野】
【０００１】
本発明は、重要物を保管する重要物管理装置に関する。
【背景技術】
【０００２】
従来より、金融機関の金庫には、重要物として、ＡＴＭ等の貨幣処理機に装填予定の貨幣や貨幣処理機から回収された貨幣および小切手・証券類等の金券からなる貨幣類が保管されている。また、当該金庫には、重要物として、貨幣類以外にも、例えば書類ファイルや、通帳繰越機へ装填するための通帳等の物品も保管されている。
【０００３】
そして、重要物の保管に関する技術として、金庫の代わりとして物品管理装置を設けて、この物品管理装置から処理機に対する物品の装填や回収を効率的に行う技術がある（例えば、特許文献１参照）。
【０００４】
また、一方で、貨幣に特化した管理に着目すると、紙幣の移動における、金庫と、処理機である資金元の出納機との間に、資金の移動を行う貨幣管理装置を備え、さらに出納機および貨幣管理装置の在高情報を連携させて総合的な在高管理を可能とする技術がある（例えば、特許文献２参照）。
【先行技術文献】
【特許文献】
【０００５】
【特許文献１】特開２０１１−０７０５８６号公報
【特許文献２】特開２０１０−１２２８８９号公報
【発明の概要】
【発明が解決しようとする課題】
【０００６】
上記のように、金庫に保管される貨幣類を含む物品の取り出しおよび投入の利便性を図る技術があるが、特許文献１においては、金庫内の物品の保管および管理は可能であっても、物品が貨幣類である場合に在高管理まではできない。また、特許文献２においては、資金元の出納機と貨幣処理装置との間での資金の移動の管理は可能であっても、大元の金庫内の貨幣類の在高管理ができない。
【０００７】
したがって、本発明は、貨幣類の在高管理を行うことができる重要物管理装置の提供を目的とする。
【課題を解決するための手段】
【０００８】
上記目的を達成するために、請求項１に係る発明は、被管理物の保管を行う保管手段を管理種別毎に有し、フロア上に設置される重要物管理装置であって、入力された識別情報に基づいて使用者を特定する使用者特定手段と、該使用者特定手段の特定結果に基づいて前記保管手段に対する前記被管理物の取り出しおよび投入の可否を制御する制御手段と、前記被管理物が貨幣類である場合に前記保管手段に対する貨幣類の取り出しおよび投入の金額データが入力される入力手段と、該入力手段に入力された貨幣類の金額データに基づいて前記保管手段内に保管される貨幣類の在高データを計算し記憶する計算記憶手段と、前記計算記憶手段による計算結果を表示する表示手段と、を備え、複数の前記保管手段を一体に有してフロア上に設置される重要物管理装置本体が、複数台、別位置に設置されており、これら複数台の重要物管理装置本体のうちの一台のみに一体に、前記計算記憶手段が設けられており、該計算記憶手段は、前記複数台の重要物管理装置本体の個別の前記在高データを計算し記憶することを特徴とする。
【００１０】
請求項２に係る発明は、被管理物の保管を行う保管手段を管理種別毎に有し、フロア上に設置される重要物管理装置であって、入力された識別情報に基づいて使用者を特定する使用者特定手段と、該使用者特定手段の特定結果に基づいて前記保管手段に対する前記被管理物の取り出しおよび投入の可否を制御する制御手段と、前記被管理物が貨幣類である場合に前記保管手段に対する貨幣類の取り出しおよび投入の金額データが入力される入力手段と、該入力手段に入力された貨幣類の金額データに基づいて前記保管手段内に保管される貨幣類の在高データを計算し記憶する計算記憶手段と、前記計算記憶手段による計算結果を表示する表示手段と、を備え、複数の前記保管手段を一体に有してフロア上に設置される重要物管理装置本体が、複数台、別位置に設置されており、これら複数台の重要物管理装置本体とは別体のパーソナルコンピュータが前記計算記憶手段および前記表示手段を有しており、前記計算記憶手段は、前記複数台の重要物管理装置本体の個別の前記在高データを計算し記憶することを特徴とする。
【００１１】
請求項３に係る発明は、請求項１または２に係る発明において、管理種別毎の前記保管手段は、それぞれコンポーネント化されており、複数個の前記保管手段が選択的に組み合わせられて構成されることを特徴とする。
【発明の効果】
【００１２】
請求項１に係る発明によれば、被管理物が貨幣類である場合に保管手段に対する貨幣類の取り出しおよび投入の金額データが入力手段により入力されると、この入力された貨幣類の金額データに基づいて保管手段内に保管される貨幣類の在高データを計算記憶手段が計算し記憶する。そして、必要により、この計算記憶手段による計算結果を表示手段に表示する。したがって、貨幣類の在高管理を行うことができる。
【００１３】
また、複数台の重要物管理装置本体のうちの一台のみに一体に計算記憶手段が設けられていて、この一台の重要物管理装置本体に設けられた計算記憶手段が、複数台の重要物管理装置本体の個別の在高データを計算し記憶する。よって、複数台の重要物管理装置本体の個別の在高データを、親機となる一台の重要物管理装置本体で一元管理することができる。
【００１４】
請求項２に係る発明によれば、被管理物が貨幣類である場合に保管手段に対する貨幣類の取り出しおよび投入の金額データが入力手段により入力されると、この入力された貨幣類の金額データに基づいて保管手段内に保管される貨幣類の在高データを計算記憶手段が計算し記憶する。そして、必要により、この計算記憶手段による計算結果を表示手段に表示する。したがって、貨幣類の在高管理を行うことができる。
また、複数台の重要物管理装置本体とは別体のパーソナルコンピュータが計算記憶手段および表示手段を有していて、このパーソナルコンピュータの計算記憶手段が、複数台の重要物管理装置本体の個別の在高データを計算し記憶する。よって、複数台の重要物管理装置本体の個別の在高データを、別途の管理機としてのパーソナルコンピュータで一元管理することができる。
【００１５】
請求項３に係る発明によれば、管理種別毎の保管手段が、それぞれコンポーネント化されており、複数個の保管手段が選択的に組み合わせられて構成されるため、顧客毎に異なる要望に応じた管理種別の保管手段を装備することが容易にできる。
【図面の簡単な説明】
【００１６】
【図１】本発明の第１実施形態に係る重要物管理装置の設置状態を示す平面図である。
【図２】本発明の第１実施形態に係る重要物管理装置を示す正面図である。
【図３】本発明の第１実施形態に係る重要物管理装置および被管理物等のブロック図である。
【図４】本発明の第２実施形態に係る重要物管理装置を示すブロック図である。
【図５】本発明の第３実施形態に係る重要物管理装置を示すブロック図である。
【発明を実施するための形態】
【００１７】
本発明の第１実施形態に係る重要物管理装置を図１〜図３を参照して以下に説明する。
第１実施形態に係る重要物管理装置１１は、図１に示すように、金融機関等の建屋１２の執務室１３のフロア１４上に別途設置されるオープン型のものである。
【００１８】
重要物管理装置１１は、図２に示すように、コンポーネント化された複数個の耐火構造の保管体（保管手段）２１が選択的に組み合わせられて一体に構成されてなる組立体２２を備えている。保管体２１は、図３に示す被管理物２３の保管を行うもので、管理種別毎に設けられている。保管体２１は、大小異なる二つの大きさのものがあり、大きいものには、縦長および横長の二種類がある。
【００１９】
具体的に、組立体２２は、図２に示すように、前面側に引き出される引き出し式であって被管理物２３としての図３に示す通帳収納袋２３（ａ）を収納する保管部２４（Ａ）が上下に二段設けられた小の保管体２１（Ａ）と、前面側に引き出される引き出し式であって被管理物２３としての大束収納袋２３（ｂ）、小束収納袋２３（ｃ）、棒金収納袋２３（ｄ）および紙幣収納袋２３（ｏ）を収納する保管部２４（Ｂ）が上下に二段設けられた横長の大の保管体２１（Ｂ）と、前面側に引き出される引き出し式であって被管理物２３としての硬貨収納袋２３（ｅ）を収納する保管部２４（Ｃ）が上下に二段設けられた横長の大の保管体２１（Ｃ）とを有している。
【００２０】
通帳収納袋２３（ａ）には、一つに複数冊の通帳が収納可能であり、複数の保管部２４（Ａ）には、それぞれに複数の通帳収納袋２３（ａ）が収納可能となっている。また、大束収納袋２３（ｂ）には、一つに複数個の大束紙幣が収納可能であり、小束収納袋２３（ｃ）には、一つに複数束の小束紙幣が収納可能であり、棒金収納袋２３（ｄ）には、一つに複数本の棒金硬貨が収納可能であり、紙幣収納袋２３（ｏ）には、一つに複数枚のバラ紙幣が収納可能となっている。複数の保管部２４（Ｂ）には、これらが適宜組み合わせられて複数収納されるようになっている。硬貨収納袋２３（ｅ）には、一つに複数枚のバラ硬貨が収納可能であり、複数の保管部２４（Ｃ）には、それぞれに複数の硬貨収納袋２３（ｅ）が収納可能となっている。
【００２１】
また、組立体２２は、個々に対応する被管理物２３としての鍵２３（ｆ）を保持する保管部２４（Ｄ）が前面側に複数設けられた小の保管体２１（Ｄ）と、前面側に引き出される引き出し式であって個々に対応する被管理物２３としてのＩＤカード２３（ｇ）を収納する保管部２４（Ｅ）が複数設けられた小の保管体２１（Ｅ）と、前面側に引かれて揺動する片側扉式であって、図示略の鍵を保持する鍵保持部が複数設けられた被管理物２３としての鍵管理機２３（ｈ）を収納する保管部２４（Ｆ）が一カ所のみ設けられた縦長の大の保管体２１（Ｆ）とを有している。
【００２２】
また、組立体２２は、前面側に引き出される引き出し式の保管部２４（Ｈ）が上下に二段設けられた小の保管体２１（Ｈ）を有している。保管部２４（Ｈ）には、被管理物２３としての図３に示す金券収納袋２３（ｉ）が収納可能となっている。金券収納袋２３（ｉ）には、一つに複数枚の小切手・証券類等の金券が収納可能であり、保管部２４（Ｈ）には、複数の金券収納袋２３（ｉ）が収納可能となっている。
【００２３】
また、組立体２２は、前面側に引かれて揺動する片側扉式の保管部２４（Ｇ）が一カ所のみ設けられた小の保管体２１（Ｇ）と、前面側に引かれて揺動する両側扉式の保管部２４（Ｉ）が一カ所のみ設けられた小の保管体２１（Ｉ）と、前面側に引かれて揺動する扉式および前面側に引き出される引き出し式の二種類の保管部２４（Ｊ）が組み合わされた小の保管体２１（Ｊ）と、前面側に引かれて揺動する片側扉式の保管部２４（Ｋ）が一カ所のみ設けられた縦長の大の保管体２１（Ｋ）と、前面側に引き出される引き出し式の保管部２４（Ｌ）が上下に二段設けられた縦長の大の保管体２１（Ｌ）とを有している。
【００２４】
ここで、小の保管体２１は、正面視正方形をなしており、大の保管体２１は、小の保管体２１と奥行きは同じであるものの、その一つが、小の保管体２１を複数、具体的には二つ組み合わせたものと正面視が同じ大きさとなっている。よって、大の縦長の保管体２１に対して同じ高さ範囲に二つの小の保管体２１を上下に配置するとこれらの高さが一致することになり、大の横長の保管体２１に対して同じ幅範囲に二つの小の保管体２１を左右に配置するとこれらの幅が一致することになる。保管体２１は、少なくとも大小異なる二つの大きさのものがあれば良く、例えば、大小異なる三つ以上の大きさのものがあっても良い。大小異なる三つの大きさの保管体２１がある場合、大の保管体２１を小の保管体２１の三つを並べた大きさとし、中の保管体２１を小の保管体２１の二つを並べた大きさとしたり、大の保管体２１を小の保管体２１の四つを並べた大きさとし、中の保管体２１を小の保管体２１の二つを並べた大きさとしたりすることができる。
【００２５】
各保管部２４には、それぞれを閉状態でロックする電磁式の図３に示すロック機構２７が設けられており、このロック機構２７は、ロック解除信号が入力されると保管部２４を開放可能にロックを解除する一方、ロック信号が入力されると保管部２４を閉状態でロックする。また、各保管部２４には、それぞれの開閉状態を検出する開閉検知センサ２８が設けられている。
【００２６】
また、各被管理物２３には、それぞれを識別するための識別情報が記憶されたＩＣタグ２９が貼付されており、各保管部２４には、それぞれ、各保管部２４内にあるＩＣタグ２９のみから識別情報を読み出すＩＣタグリーダ３０が設けられている。つまり、このＩＣタグリーダ３０は、被管理物２３に設けられたＩＣタグ２９の識別情報の読み出しの有無により、保管体２１の各保管部２４の個々の被管理物２３の保管の有無の判定および被管理物２３の特定を行う。
【００２７】
具体的に、通帳収納袋２３（ａ）にはＩＣタグ２９（ａ）が貼付されており、通帳収納袋２３（ａ）を保管する保管体２１（Ａ）の各保管部２４（Ａ）には、それぞれロック機構２７（Ａ）、開閉検知センサ２８（Ａ）およびＩＣタグリーダ３０（Ａ）が設けられている。同様に、大束紙幣を収納する大束収納袋２３（ｂ）にはＩＣタグ２９（ｂ）が、小束紙幣を収納する小束収納袋２３（ｃ）にはＩＣタグ２９（ｃ）が、棒金硬貨を収納する棒金収納袋２３（ｄ）にはＩＣタグ２９（ｄ）が、バラ紙幣を収納する紙幣収納袋２３（ｏ）にはＩＣタグ２９（ｏ）が、それぞれ貼付されており、これらを保管する各保管部２４（Ｂ）には、それぞれロック機構２７（Ｂ）、開閉検知センサ２８（Ｂ）およびＩＣタグリーダ３０（Ｂ）が設けられている。同様に、硬貨収納袋２３（ｅ）にはＩＣタグ２９（ｅ）が貼付されており、硬貨収納袋２３（ｅ）を保管する各保管部２４（Ｃ）には、それぞれロック機構２７（Ｃ）、開閉検知センサ２８（Ｃ）およびＩＣタグリーダ３０（Ｃ）が設けられている。
【００２８】
鍵２３（ｆ）にはＩＣタグ２９（ｆ）が貼付されており、鍵２３（ｆ）を保管する各保管部２４（Ｄ）には、それぞれ鍵２３（ｆ）を装着状態である閉状態でロックするロック機構２７（Ｄ）、装着状態である閉状態にあるか取り外し可能な開状態にあるかを検知する開閉検知センサ２８（Ｄ）およびＩＣタグリーダ３０（Ｄ）が設けられている。
【００２９】
ＩＤカード２３（ｇ）にはＩＣタグ２９（ｇ）が貼付されており、ＩＤカード２３（ｇ）を保管する各保管部２４（Ｅ）には、それぞれロック機構２７（Ｅ）、開閉検知センサ２８（Ｅ）およびＩＣタグリーダ３０（Ｅ）が設けられている。鍵管理機２３（ｈ）にはＩＣタグ２９（ｈ）が貼付されており、鍵管理機２３（ｈ）を保管する保管部２４（Ｆ）には、ロック機構２７（Ｆ）、開閉検知センサ２８（Ｆ）およびＩＣタグリーダ３０（Ｆ）が設けられている。
【００３０】
金券収納袋２３（ｉ）には、ＩＣタグ２９（ｉ）が貼付されており、金券収納袋２３（ｉ）を保管する保管部２４（Ｈ）には、ロック機構２７（Ｈ）、開閉検知センサ２８（Ｈ）およびＩＣタグリーダ３０（Ｈ）が設けられている。
【００３１】
同様にして、保管体２１（Ｇ）の保管部２４（Ｇ）には、それぞれロック機構２７（Ｇ）、開閉検知センサ２８（Ｇ）およびＩＣタグリーダ３０（Ｇ）が設けられ、保管部２４（Ｇ）に保管される被管理物２３（ｊ）には、ＩＣタグ２９（ｊ）が貼付されている。保管体２１（Ｉ）の保管部２４（Ｉ）には、それぞれロック機構２７（Ｉ）、開閉検知センサ２８（Ｉ）およびＩＣタグリーダ３０（Ｉ）が設けられ、保管部２４（Ｉ）に保管される被管理物２３（ｋ）には、ＩＣタグ２９（ｋ）が貼付されている。保管体２１（Ｊ）の保管部２４（Ｊ）には、それぞれロック機構２７（Ｊ）、開閉検知センサ２８（Ｊ）およびＩＣタグリーダ３０（Ｊ）が設けられ、保管部２４（Ｊ）に保管される被管理物２３（ｌ）には、ＩＣタグ２９（ｌ）が貼付されている。保管体２１（Ｋ）の保管部２４（Ｋ）には、それぞれロック機構２７（Ｋ）、開閉検知センサ２８（Ｋ）およびＩＣタグリーダ３０（Ｋ）が設けられ、保管部２４（Ｋ）に保管される被管理物２３（ｍ）には、ＩＣタグ２９（ｍ）が貼付されている。保管体２１（Ｌ）の保管部２４（Ｌ）には、それぞれロック機構２７（Ｌ）、開閉検知センサ２８（Ｌ）およびＩＣタグリーダ３０（Ｌ）が設けられ、保管部２４（Ｌ）に保管される被管理物２３（ｎ）には、ＩＣタグ２９（ｎ）が貼付されている。
【００３２】
また、重要物管理装置１１は、前面側に、使用者により操作入力が行われる操作部（使用者特定手段，入力手段）３５および使用者に表示を行う液晶画面等からなる表示部（表示手段）３６を有し、重要物管理装置１１を制御する制御部（使用者特定手段，制御手段，計算記憶手段）３７と、制御プログラム等を記憶するＲＯＭ３８と、重要物管理装置１１内の在高データを含む管理データ等を記憶するＲＡＭ（計算記憶手段）３９とを内蔵する図２に示す一つの制御ユニット４０を有している。この制御ユニット４０は、操作部３５、表示部３６、制御部３７、ＲＯＭ３８およびＲＡＭ３９を一体に有してコンポーネント化されており、小の保管体２１と正面視で同じ大きさをなしている。そして、重要物管理装置１１は、この一つの制御ユニット４０に複数個の保管体２１が選択的に組み合わせられて構成されるようになっている。操作部３５は、キーボード４１およびカードリーダ４２を有している。
【００３３】
また、重要物管理装置１１は、小の保管体２１と同じ大きさにコンポーネント化されたフリー空間形成体４５を有している。ここで、重要物管理装置１１は、上記した制御ユニット４０に複数個の保管体２１が選択的に組み合わせられて全体として正面視が矩形状をなすことになり、その際に、制御ユニット４０も保管体２１も配置されない部分を埋めるようにフリー空間形成体４５が配置される。フリー空間形成体４５は枠状をなしており、内側が空間となっている。フリー空間形成体４５が配置されたスペースには、これと交換する形で、後に保管体２１を追加可能となっている。
【００３４】
そして、制御ユニット４０と、複数個の保管体２１およびフリー空間形成体４５の適宜のものとが、前面を揃えた状態で、隣り合うもの同士が図示略の連結具で連結されることで、正面視矩形状をなす組立体２２が組み上がることになる。
【００３５】
具体的に、図２に示す組立体２２には、通帳収納袋２３（ａ）を収納する小の保管体２１（Ａ）が正面から見て左側の上側に上下二段に設けられており、その下側に縦長の大の保管体２１（Ｌ）が一つ設けられている。また、これら保管体２１（Ａ）および保管体２１（Ｌ）の右隣に、縦長の大の保管体２１（Ｋ）が上下二段に設けられ、これらの右隣に、上側から順に、制御ユニット４０、フリー空間形成体４５、小の保管体２１（Ｈ）、小の保管体２１（Ｇ）が設けられている。また、これらの右隣に、上側から順に、小の保管体２１（Ｄ）、小の保管体２１（Ｅ）、小の保管体２１（Ｊ）、小の保管体２１（Ｉ）が設けられ、これらの右隣に、上側から順に、小の保管体２１（Ｄ）、小の保管体２１（Ｅ）、横長の大の保管体２１（Ｂ）、横長の大の保管体２１（Ｃ）が設けられている。小の保管体２１（Ｄ）、小の保管体２１（Ｅ）の右隣であって、横長の大の保管体２１（Ｂ）の上側に、縦長の大の保管体２１（Ｆ）が設けられている。
【００３６】
さらに、この組立体２２の後側には、各保管体２１と制御ユニット４０とを通信可能に接続する通信ケーブル等を配索するための図１に示す配索スペース形成カバー４７が図示略の連結具で一体的に取り付けられており、これら組立体２２および配索スペース形成カバー４７で重要物管理装置１１が構成されている。なお、高さおよび横幅の異なる配索スペース形成カバー４７が複数種類準備されることになり、いずれかの配索スペース形成カバー４７と正面視の大きさが合うように、制御ユニット４０と、複数個の保管体２１とを組み合わせ、必要によりフリー空間形成体４５をも組み合わせる。例えば、図２に示す、小の保管体２１の四つ分の高さおよび小の保管体２１六つ分の幅を有する組立体２２の背面を覆う、小の保管体２１の四つ分の高さおよび小の保管体２１の六つ分の幅を有する図１に示す配索スペース形成カバー４７の他に、例えば、小の保管体２１の四つ分の高さおよび小の保管体２１の五つ分の幅を有する配索スペース形成カバー４７、小の保管体２１の四つ分の高さおよび小の保管体２１の四つ分の幅を有する配索スペース形成カバー４７、小の保管体２１の四つ分の高さおよび小の保管体２１の三つ分の幅を有する配索スペース形成カバー４７、小の保管体２１の三つ分の高さおよび小の保管体２１の六つ分の幅を有する配索スペース形成カバー４７等を、必要に応じて準備する。
【００３７】
上記のようにして組み立てられた重要物管理装置１１が配索スペース形成カバー４７を壁に近接させて例えば執務室１３のフロア１４上に設置されることになり、これにより、重要物管理装置１１の制御ユニット４０の前面および複数個の保管体２１の前面が執務室１３の室内側に向いて設置されることになる。なお、重要物管理装置１１は必要により下部に転動ロック付きのキャスタ４８が取り付けられることになり、フロア１４上での移設が可能になっている。
【００３８】
このような重要物管理装置１１においては、入出処理の実行に当たって、使用者が操作部３５に使用者識別情報を入力することになる。この使用者識別情報の入力は、キーボード４１への使用者ＩＤ番号の入力や、カードリーダ４２への使用者ＩＤカードの走査によって行われる。使用者識別情報が入力されると、制御部３７は、ＲＡＭ３９と照らし合わせてこの入力された使用者識別情報と一致する使用者識別情報がＲＡＭ３９に記憶されているか否かを判断する。制御部３７は、入力された使用者識別情報と一致する使用者識別情報がＲＡＭ３９に記憶されていなければ、入力された使用者識別情報が適正でない旨を表示部３６に表示させる。
【００３９】
制御部３７は、入力された使用者識別情報と一致する使用者識別情報がＲＡＭ３９に記憶されていれば、使用者がこの使用者識別情報を有する使用者であることを特定することになり、この特定された使用者識別情報に関連付けてＲＡＭ３９に記憶されている取り出しおよび投入可能な被管理物２３の管理種別を読み出し、これら管理種別の中から、使用者に取り出しあるいは投入する被管理物２３の管理種別の選択入力を促す表示を表示部３６に表示させる。ここで、この使用者識別情報に関連してＲＡＭ３９に記憶された取り出しおよび投入可能な被管理物２３の管理種別は、例えば使用者識別情報が一般職員である場合と管理職員である場合とで異なる。
【００４０】
上記の表示にしたがって、使用者が、取り出しあるいは投入する被管理物２３の管理種別の選択入力を操作部３５に入力すると、制御部３７は、管理種別が貨幣類であるか否かを判定する。管理種別が貨幣類である場合には、取り出しであるか投入であるかの入出識別と金額データの入力を促す表示を表示部３６に表示させて、入出識別および金額データの入力を待つ。操作部３５のキーボード４１に入出識別および金額データの入力が行われると、制御部３７は、ＲＡＭ３９に記憶されている、それまでの在高データと、操作部３５に今回入力された貨幣類の入出識別および金額データとに基づいて、保管体２１（Ｂ），２１（Ｃ），２１（Ｈ）内に保管される貨幣類、つまり重要物管理装置１１内に保管される貨幣類の在高データを計算し、この計算値をＲＡＭ３９に新たな在高データとして更新記憶する。ここで、重要物管理装置１１内に保管される貨幣類の在高データの計算値がマイナスとなる場合、つまり在高を超える取り出し金額が入力された場合には、表示部３６にアラーム表示および再入力の誘導ガイダンス表示を表示させる。なお、貨幣類の取り出しの金額データに、使用者識別情報毎に上限値を設定し、上限値以上が入力されたら表示部３６にアラームを表示させるようにしても良い。
【００４１】
具体的に、管理種別が貨幣類の大束紙幣であって入出識別が取り出しである場合には、それまでの大束紙幣の在高データおよび重要物管理装置１１全体の在高データのそれぞれから、入力された大束紙幣の金額データを減算した値を、新たな大束紙幣の在高データおよび重要物管理装置１１全体の在高データとしてＲＡＭ３９に記憶する。また、入出識別が投入である場合には、それまでの大束紙幣の在高データおよび重要物管理装置１１全体の在高データのそれぞれに、入力された大束紙幣の金額データを加算した値を、新たな大束紙幣の在高データおよび重要物管理装置１１全体の在高データとしてＲＡＭ３９に記憶する。
【００４２】
また、管理種別が貨幣類の小束紙幣であって入出識別が取り出しである場合には、それまでの小束紙幣の在高データおよび重要物管理装置１１全体の在高データのそれぞれから、入力された小束紙幣の金額データを減算した値を、新たな小束紙幣の在高データおよび重要物管理装置１１全体の在高データとしてＲＡＭ３９に記憶する。また、入出識別が投入である場合には、それまでの小束紙幣の在高データおよび重要物管理装置１１全体の在高データのそれぞれに、入力された小束紙幣の金額データを加算した値を、新たな小束紙幣の在高データおよび重要物管理装置１１全体の在高データとしてＲＡＭ３９に記憶する。
【００４３】
また、管理種別が貨幣類の棒金硬貨であって入出識別が取り出しである場合には、それまでの棒金硬貨の在高データおよび重要物管理装置１１全体の在高データのそれぞれから、入力された棒金硬貨の金額データを減算した値を、新たな棒金硬貨の在高データおよび重要物管理装置１１全体の在高データとしてＲＡＭ３９に記憶する。また、入出識別が投入である場合には、それまでの棒金硬貨の在高データおよび重要物管理装置１１全体の在高データのそれぞれに、入力された棒金硬貨の金額データを加算した値を、新たな棒金硬貨の在高データおよび重要物管理装置１１全体の在高データとしてＲＡＭ３９に記憶する。
【００４４】
また、管理種別が貨幣類のバラ紙幣であって入出識別が取り出しである場合には、それまでのバラ紙幣の在高データおよび重要物管理装置１１全体の在高データのそれぞれから、入力されたバラ紙幣の金額データを減算した値を、新たなバラ紙幣の在高データおよび重要物管理装置１１全体の在高データとしてＲＡＭ３９に記憶する。また、入出識別が投入である場合には、それまでのバラ紙幣の在高データおよび重要物管理装置１１全体の在高データのそれぞれに、入力されたバラ紙幣の金額データを加算した値を、新たなバラ紙幣の在高データおよび重要物管理装置１１全体の在高データとしてＲＡＭ３９に記憶する。
【００４５】
また、管理種別が貨幣類のバラ硬貨であって入出識別が取り出しである場合には、それまでのバラ硬貨の在高データおよび重要物管理装置１１全体の在高データのそれぞれから、入力されたバラ硬貨の金額データを減算した値を、新たなバラ硬貨の在高データおよび重要物管理装置１１全体の在高データとしてＲＡＭ３９に記憶する。また、入出識別が投入である場合には、それまでのバラ硬貨の在高データおよび重要物管理装置１１全体の在高データのそれぞれに、入力されたバラ硬貨の金額データを加算した値を、新たなバラ硬貨の在高データおよび重要物管理装置１１全体の在高データとしてＲＡＭ３９に記憶する。
【００４６】
また、管理種別が金券であって入出識別が取り出しである場合には、それまでの金券の在高データおよび重要物管理装置１１全体の在高データのそれぞれから、入力された金券の金額データを減算した値を、新たな金券の在高データおよび重要物管理装置１１全体の在高データとしてＲＡＭ３９に記憶する。また、入出識別が投入である場合には、それまでの金券の在高データおよび重要物管理装置１１全体の在高データのそれぞれに、入力された金券の金額データを加算した値を、新たな金券の在高データおよび重要物管理装置１１全体の在高データとしてＲＡＭ３９に記憶する。
【００４７】
管理種別が通帳、鍵、ＩＤカードおよび鍵管理機等の貨幣類以外である場合に、制御部３７は、入力された管理種別の被管理物２３を収納している保管体２１の保管部２４に対し被管理物２３の取り出しおよび投入を許可することになり、管理種別が貨幣類である場合には、上記入出識別および金額データの入力が行われたことを条件に、入力された管理種別の被管理物２３を収納している保管体２１の保管部２４に対し被管理物２３の取り出しおよび投入を許可することになる。すると、制御部３７は、今回の入出処理にて被管理物２３の取り出しおよび投入を許可した保管部２４に対しそのロック機構２７にロック解除信号を出力してロックを解除する。
【００４８】
以上により、制御部３７は、操作部３５に入力された使用者の特定結果である使用者識別情報に基づいて保管体２１の保管部２４に対する被管理物２３の取り出しおよび投入の可否を制御する。なお、この入力された管理種別の被管理物２３を収納している保管体２１が保管部２４を複数有している場合には、それぞれのロック機構２７にロック解除信号を出力してロックを解除することになる。
【００４９】
ロックが解除された保管体２１の保管部２４に対して、使用者がこれを開放して、被管理物２３の取り出しおよび投入の少なくともいずれか一方を行い、これを閉じる。すると、この保管部２４に設けられた開閉検知センサ２８がこの保管部２４が閉状態になったことを検知することになり、これにより、制御部３７は、この保管部２４に設けられたロック機構２７にロック信号を出力して保管体２１の保管部２４をロックする。なお、ロックが解除された保管体２１が保管部２４を複数有している場合には、すべての保管部２４が閉状態になったことを各開閉検知センサ２８で検出すると、すべての保管部２４のロック機構２７にロック信号を出力してこれらをロックすることになる。今回の入出処理にてロックを解除した保管体２１をすべてロックすると、今回の入出処理を終了する。
【００５０】
なお、貨幣類の取り出しおよび投入に伴う在高データの更新記憶のタイミングは、上記では、操作部３５のキーボード４１に入出識別および金額データの入力が行われた時点としたが、その後、対応する保管部２４が開状態になった後に閉状態になったことを開閉検知センサ２８で検出した時点、つまり貨幣類が取り出されたと判断した時点としても良い。
【００５１】
そして、上記のようにして保管体２１の保管部２４の開閉が行われると、制御部３７は、開閉が行われた保管部２４に対してＩＣタグリーダ３０でＩＣタグ２９から識別情報を読み取り、この識別情報に基づく保管部２４内の被管理物２３の残存状況を日時情報および使用者識別情報とともにＲＡＭ３９に記憶する。制御部３７は、この残存状況と、ＲＡＭ３９に記憶されている今回の開閉の直前の保管部２４内の被管理物２３の残存状況とから、保管体２１の被管理物２３の保管の有無である、開閉された保管部２４の被管理物２３の装置外への取り出しおよび装置への投入の判定を行い、判定結果を表示部３６に表示させる。つまり、制御部３７は、いずれの識別情報を有する被管理物２３が取り出されたか、あるいは投入されたかを判定し、日時情報および使用者識別情報とともにＲＡＭ３９に記憶するとともに、被管理物２３の識別情報と、取り出されたか、投入されたかの区別とを表示部３６に表示させる。なお、このとき、制御部３７は、保管体２１のいずれかに、対応する管理種別とは異なる管理種別の被管理物２３が保管されている場合には、保管体２１に異種の被管理物２３が保管されている旨をこの保管体２１の識別情報とともに表示部３６に表示させ、アラームを発生させる。
【００５２】
なお、取り出されたり投入されたりするものが、大束紙幣である場合、保管部２４（Ｂ）から大束収納袋２３（ｂ）が取り出されたり投入されたりすることなく、大束収納袋２３（ｂ）から大束紙幣だけが取り出されたり、大束収納袋２３（ｂ）に大束紙幣だけが追加で投入されたりする場合もある。同様に、取り出されたり投入されたりするものが、小束紙幣である場合、保管部２４（Ｂ）から小束収納袋２３（ｃ）が取り出されたり投入されたりすることなく、小束収納袋２３（ｃ）から小束紙幣だけが取り出されたり、小束収納袋２３（ｃ）に小束紙幣だけが追加で投入されたりする場合もある。同様に、取り出されたり投入されたりするものが、棒金硬貨である場合、保管部２４（Ｂ）から棒金収納袋２３（ｄ）が取り出されたり投入されたりすることなく、棒金収納袋２３（ｄ）から棒金硬貨だけが取り出されたり、棒金収納袋２３（ｄ）に棒金だけが追加で投入されたりする場合もある。同様に、取り出されたり投入されたりするものが、バラ紙幣である場合、保管部２４（Ｂ）から紙幣収納袋２３（ｏ）が取り出されたり投入されたりすることなく、紙幣収納袋２３（ｏ）からバラ紙幣だけが取り出されたり、紙幣収納袋２３（ｏ）にバラ紙幣だけが追加で投入されたりする場合もある。
【００５３】
制御部３７は、ＲＡＭ３９に記憶された上記の情報を、任意のタイミングでの操作部３５への入出管理の操作入力により、日時情報別に表示部３６に表示させるようになっている。
【００５４】
例えば、制御部３７は、操作部３５へ任意のタイミングで別途照会操作入力が行われて、保管体２１（あるいは管理種別）の指定操作入力が行われると、指定された保管体２１（あるいは管理種別）について、それまでＩＣタグリーダ３０でＩＣタグ２９から読み取った識別情報に基づいてＲＡＭ３９に記憶されている、その時点での被管理物２３の各識別情報毎の保管の有無を判定して、その判定結果、つまりいずれの識別情報の被管理物２３が保管されていて、いずれの識別情報の被管理物２３が取り出されているかを表示部３６に表示させる。あるいは、その時点でＩＣタグリーダ３０でＩＣタグ２９を読み込んで、被管理物２３の各識別情報毎の保管の有無を判定して、その判定結果を表示部３６に表示させる。
【００５５】
また、制御部３７は、操作部３５へ任意のタイミングで別途照会操作入力が行われて、被管理物２３の識別情報の指定操作入力が行われると、それまでＩＣタグリーダ３０でＩＣタグ２９から読み取った識別情報に基づいてＲＡＭ３９に記憶されている、その時点での被管理物２３の保管の有無を判定して、その判定結果、つまりこの被管理物２３が保管されているか取り出されているかを表示部３６に表示させる。あるいは、その時点でＩＣタグリーダ３０でＩＣタグ２９を読み込んで、被管理物２３の保管の有無を判定して、その判定結果を表示部３６に表示させる。
【００５６】
また、操作部３５への操作入力で、ダイヤグラム作成プログラムの実行が指定されると、制御部３７は、操作部３５への操作入力に基づいて、被管理物２３の保管状況を時系列で示すダイヤグラムを各保管体２１毎に作成することになり、このダイヤグラムをＲＡＭ３９に記憶する。
【００５７】
そして、制御部３７は、所定の時間間隔で、ダイヤグラムによる被管理物２３の保管状況と、それまでＩＣタグリーダ３０でＩＣタグ２９から読み取った識別情報に基づいてＲＡＭ３９に記憶されている、その時点での被管理物２３の各識別情報毎の保管の有無である保管状況との一致を判断する判断処理を行い、両保管状況に相違がある場合に、その旨を、表示部３６に表示するとともに管理者の携帯電話５１および管理ＰＣ５２にメールで送信する。これにより、保管状況の相違解消を促すことになる。
【００５８】
つまり、例えば、ダイヤグラム上、営業開始前の所定の時刻までに鍵管理機２３（ｈ）が保管体２１（Ｆ）の保管部２４（Ｆ）から取り出されていなければならない場合に、この所定の時刻までに鍵管理機２３（ｈ）が保管体２１（Ｆ）の保管部２４（Ｆ）から取り出されていないという不一致があれば、その旨を表示部３６に表示するとともに管理者の携帯電話５１および管理ＰＣ５２にメールで送信する。また、ダイヤグラム上、営業終了後の所定の時刻までに鍵管理機２３（ｈ）が保管体２１（Ｆ）の保管部２４（Ｆ）に投入されていなければならない場合に、この所定の時刻までに鍵管理機２３（ｈ）が保管体２１（Ｆ）の保管部２４（Ｆ）に投入されていないという不一致があれば、その旨を表示部３６に表示するとともに管理者の携帯電話５１および管理ＰＣ５２にメールで送信する。同様にして、ダイヤグラム上、営業終了後の所定の時刻までにすべての鍵２３（ｆ）が保管体２１（Ｄ）の保管部２４（Ｄ）に投入されていなければならない場合に、この所定の時刻までにすべての鍵２３（ｆ）が保管体２１（Ｄ）の保管部２４（Ｄ）に投入されていないという不一致があれば、その旨を表示部３６に表示するとともに管理者の携帯電話５１および管理ＰＣ５２にメールで送信する。また、ダイヤグラム上、営業終了後の所定の時刻までにすべてのＩＤカード２３（ｇ）が保管体２１（Ｅ）の保管部２４（Ｅ）に投入されていなければならない場合に、この所定の時刻までにすべてのＩＤカード２３（ｇ）が保管体２１（Ｅ）の保管部２４（Ｅ）に投入されていないという不一致があれば、その旨を表示部３６に表示するとともに管理者の携帯電話５１および管理ＰＣ５２にメールで送信する。また、営業開始前の所定の時刻までに本店に配送されるべき被管理物２３が保管体２１の保管部２４から取り出されていなければならない場合に、この所定の時刻までにこの被管理物２３が保管体２１の保管部２４から取り出されていないという不一致があれば、その旨を表示部３６に表示するとともに管理者の携帯電話５１および管理ＰＣ５２にメールで送信する。
【００５９】
また、制御部３７は、ＲＡＭ３９に更新記憶されることになる上記の計算結果である在高データを、任意のタイミングでの操作部３５への在高管理の操作入力により、表示部３６に表示させるようになっている。この表示データは、表示時点での在高データであり、具体的には、大束紙幣が各金種何束ずつあるのかを示す在高データと、小束紙幣が各金種何束ずつあるのかを示す在高データと、棒金硬貨が各金種何本ずつあるのかを示す在高データと、バラ紙幣が各金種何枚ずつあるのかを示す在高データと、バラ硬貨が各金種何枚ずつあるのかを示す在高データと、金券が各種何枚ずつあるのかを示す在高データと、重要物管理装置１１内全体のトータルの貨幣類の在高データとからなっている。
【００６０】
以上に述べた第１実施形態の重要物管理装置１１によれば、被管理物２３が貨幣類である場合に保管体２１に対する貨幣類の取り出しおよび投入の金額データが操作部３５により入力されると、この入力された貨幣類の金額データに基づいて保管体２１内に保管される貨幣類の在高データを制御部３７が計算し記憶する。そして、必要により、この計算結果を表示部３６に表示する。したがって、貨幣類の在高管理を行うことができる。
【００６１】
また、重要物管理装置１１は、操作部３５に使用者識別情報が入力されると、制御部３７は、使用者を特定し、この特定結果に基づいて保管体２１に対する被管理物２３の取り出しおよび投入の可否を制御する。一方で、ＩＣタグリーダ３０が、保管体２１の被管理物２３の保管の有無を判定すると、制御部３７は、この判定結果を表示部３６に表示する。そして、重要物管理装置１１は、上記した保管体２１を管理種別毎に有してフロア１４上に設置されることにより、金庫室の代わりに重要物を管理することができるため、専用の金庫室を建屋１２に構築する場合と比べて、コストを大幅に低減することができる。また、フロア１４に設置されることから、衆人監視環境への設置や、設置先の部屋を監視する監視カメラシステムでの共用監視が可能となり、専用の監視カメラシステムを不要とすることができる。よって、この点からもコストを低減することができる。
【００６２】
また、管理種別毎の保管体２１が、それぞれコンポーネント化されており、複数個の保管体２１が選択的に組み合わせられて構成されるため、顧客毎に異なる要望に応じた管理種別の保管体２１を装備することが容易にできる。しかも、管理種別の保管体２１を重要物管理装置１１内において顧客が要望する任意の位置に設置することができる。
【００６３】
また、大きい保管体２１の一つと、小さい保管体２１を複数組み合わせたものとが同じ大きさとなるため、大きさの異なる保管体２１を容易に装備することができる。よって、上記のように、大きな鍵管理機２３（ｈ）を大きな保管体２１に、小さい通帳収納袋２３（ａ）を小型の保管体２１に保管する等、顧客の要望に応じて効率良く被管理物２３を保管することができる。
【００６４】
また、操作部３５、表示部３６および制御部３７を含む制御ユニット４０が、コンポーネント化されており、この制御ユニット４０に複数個の保管体２１が選択的に組み合わせられて構成されるため、制御ユニット４０をも容易に装備することができる。しかも、制御ユニット４０を重要物管理装置１１内において顧客が要望する任意の位置に設置することができる。
【００６５】
また、保管体２１が耐火構造であるため、火災があっても被管理物２３を保管することができる。
【００６６】
また、制御部３７が、ダイヤグラムによる被管理物２３の保管状況とＩＣタグリーダ３０の判定による被管理物２３の保管状況との一致を判断する判断処理を行い、両保管状況に相違がある場合にその旨を表示部３６に表示するため、被管理物２３の取り出しおよび投入のタイミングの異常発生を表示部３６を見た人に認識させることができる。つまり、被管理物２３は、その用途および目的によって保管／使用の時間帯がそれぞれ異なるものがあるが、このような場合でも、ダイヤグラムと相違して現在保管されているべき被管理物２３が取り出されていないか、逆に現在使用されているべき被管理物２３が保管されたままになっていないかを、ほぼリアルタイムに認識でき、その対象となる被管理物２３も容易に特定できる。
【００６７】
また、判断処理にて両保管状況に相違がある場合に、制御部３７が、携帯電話５１および管理ＰＣ５２を介してその旨を管理者に報知するため、被管理物２３の取り出しおよび投入のタイミングの異常発生を管理者に認識させることができる。したがって、管理者は速やかに担当者へ是正の処置を行わせることができる。
【００６８】
また、制御部３７が、保管体２１に設けられたＩＣタグリーダ３０による、被管理物２３に設けられたＩＣタグ２９の読み出しの有無により、保管体２１の被管理物２３の保管の有無を判定するため、保管体２１の被管理物２３の保管の有無を正確に管理することができる。しかも、所定の管理種別の保管体２１に、所定とは異なる管理種別の被管理物２３が保管されていないか等をも判定できる。
【００６９】
本発明の第２実施形態に係る重要物管理装置を主に図４を参照して以下に説明する。
第２実施形態に係る重要物管理装置１１は、第１実施形態の重要物管理装置１１と同様の重要物管理装置本体１１Ａ，１１Ｂが、図４に示すように複数台通信可能に接続されて構成されている。これらの重要物管理装置本体１１Ａ，１１Ｂは、第１実施形態の図１および図２に示す重要物管理装置１１と同様、複数の保管体２１を一体に有してフロア１４上に設置されるものであるが、それぞれ、別位置に設置されることになる。
【００７０】
これら重要物管理装置本体１１Ａ，１１Ｂのそれぞれの制御部３７が上記したように通信可能に接続されており、そのうちの一台の重要物管理装置本体１１Ａのみが親機となっている。そして、この親機の重要物管理装置本体１１Ａの制御ユニット４０に一体に設けられた制御部３７のみが、親機および親機以外の子機となるすべての重要物管理装置本体１１Ａ，１１Ｂの個別の在高データを、各重要物管理装置本体１１Ａ，１１Ｂの操作部３５へ入力された入出識別と金額データとに基づいて計算し、この制御部３７と同じ制御ユニット４０に一体に設けられたＲＡＭ３９に記憶するようになっている。他方、親機以外の子機となる重要物管理装置本体１１Ｂは、第１実施形態と同様、取り出しおよび投入前に入出識別と金額データとが操作部３５に入力されるものの、制御部３７は、重要物管理装置本体１１Ａにデータを送信するのみで、在高データを計算したり在高データをＲＡＭ３９に記憶したりすることは行わない。つまり、親機の重要物管理装置本体１１Ａがサーバ機能を有しており、子機となる重要物管理装置本体１１Ｂがクライアント機能を有している。
【００７１】
そして、親機の重要物管理装置本体１１Ａの制御ユニット４０においてのみ、この制御ユニット４０の制御部３７が、この制御ユニット４０の操作部３５への操作で、この制御ユニット４０の表示部３６に、すべての重要物管理装置本体１１Ａ，１１Ｂの個別の在高データを表示可能となっている。
【００７２】
このような構成の第２実施形態に係る重要物管理装置１１によれば、複数台の重要物管理装置本体１１Ａ，１１Ｂのうちの一台の重要物管理装置本体１１Ａのみに一体に設けられた制御部３７およびＲＡＭ３９が、複数台の重要物管理装置本体１１Ａ，１１Ｂの個別の在高データを計算し記憶する。よって、複数台の重要物管理装置本体１１Ａ，１１Ｂの個別の在高データを、親機となる一台の重要物管理装置本体１１Ａで一元管理することができる。
【００７３】
本発明の第３実施形態に係る重要物管理装置を主に図５を参照して以下に説明する。
第３実施形態に係る重要物管理装置１１は、第１実施形態の重要物管理装置１１と同様の重要物管理装置本体１１Ｃが、図５に示すように複数台、これらとは別体の管理ＰＣ５２（パーソナルコンピュータ）と通信可能に接続されて構成されている。管理ＰＣ５２は、制御部（計算記憶手段）５５とＲＯＭ５６とＲＡＭ（計算記憶手段）５７と操作部５８と表示部（表示手段）５９とを有している。複数台の重要物管理装置本体１１Ｃは、第１実施形態の図１および図２に示す重要物管理装置１１と同様、複数の保管体２１を一体に有してフロア１４上に設置されるものであるが、それぞれ、別位置に設置されることになる。
【００７４】
これら重要物管理装置本体１１Ｃのそれぞれの制御部３７が上記したように管理ＰＣ５２と通信可能に接続されている。そして、この管理ＰＣ５２に一体に設けられた制御部５５のみが、通信可能なすべての重要物管理装置本体１１Ｃの個別の在高データを、各重要物管理装置本体１１Ｃの操作部３５へ入力された入出識別と金額データとに基づいて計算し、同じ管理ＰＣ５２に一体に設けられたＲＡＭ５７に記憶するようになっている。他方、すべての重要物管理装置本体１１Ｃは、第１実施形態と同様、取り出しおよび投入前に入出識別と金額データとが操作部３５に入力されるものの、制御部３７は、管理ＰＣ５２にデータを送信するのみで、在高データを計算したり在高データをＲＡＭ３９に記憶したりすることは行わない。
【００７５】
そして、管理ＰＣ５２においてのみ、この管理ＰＣ５２の制御部５５が、この管理ＰＣ５２の操作部５８への操作で、この管理ＰＣ５２の表示部５９に、すべての重要物管理装置本体１１Ｃの個別の在高データを表示可能となっている。
【００７６】
このような構成の第３実施形態に係る重要物管理装置１１によれば、複数台の重要物管理装置本体１１Ｃとは別体の管理ＰＣ５２に一体に設けられた制御部５５およびＲＡＭ５７が、複数台の重要物管理装置本体１１Ｃの個別の在高データを計算し記憶する。よって、複数台の重要物管理装置本体１１Ｃの個別の在高データを別途の管理機としての管理ＰＣ５２で一元管理することができる。
【００７７】
なお、第３実施形態において用いられる管理ＰＣ５２は、図示は略すが同じ金融機関に設置される出納機のターミナル部を構成するＰＣで兼用することが可能である。
【符号の説明】
【００７８】
１１  重要物管理装置
１１Ａ，１１Ｂ，１１Ｃ  重要物管理装置本体
１４  フロア
２１  保管体（保管手段）
２３  被管理物
３５  操作部（使用者特定手段，入力手段）
３６  表示部（表示手段）
３７  制御部（使用者特定手段，制御手段，計算記憶手段）
３９  ＲＡＭ（計算記憶手段）
５２  管理ＰＣ（パーソナルコンピュータ）
５５  制御部（計算記憶手段）
５７  ＲＡＭ（計算記憶手段）
５９  表示部（表示手段）
【図１】
0005728363.tif 000002
【図２】
0005728363.tif 000003
【図３】
0005728363.tif 000004
【図４】
0005728363.tif 000005
【図５】
0005728363.tif 000006